(57)【要約】      （修正有）【課題】展示用のバックパネルにロールスクリーン又はライトパネルを仮固定することを可能とする金具集合体を提供する。【解決手段】Ｌ字形状の係止金具２と、同じくＬ字形状の支持金具３と、係止金具２に支持金具３を着接させる固定部材４ａとから成る。係止金具２は、直角に連接する板部Ａ及び板部Ｂを有し、支持金具３は、直角に連接する板部Ｃ及び板部Ｄを有し、板部Ｂの下面に板部Ｄが滑動可能に着接され、板部Ａ・板部Ｃは平行に配列されてバックパネルの上端辺を短幅方向から挟持する。ロールスクリーンを仮固定するための金具集合体１は底部にブラケット３４が着接され、ロールスクリーンの収納フレーム７１を咬持する。ライトパネルを仮固定するための前記金具集合体１は、板部Ｃが長尺形状を有し、板部Ｃがライトパネルの裏面と連結する。【選択図】図３
0003205098.tif 000002
【実用新案登録請求の範囲】
【請求項１】
展示用のバックパネルにロールスクリーン又はライトパネルを仮固定するための金具集合体であって、
前記バックパネルの上端辺に係着するＬ字形状の係止金具と、
前記ロールスクリーン又は前記ライトパネルを支持するＬ字形状の支持金具と、
前記係止金具に前記支持金具を着接させる固定部材と、
から成ることを特徴とする金具集合体。
【請求項２】
前記Ｌ字形状の係止金具は、直角に連接する板部Ａ及び板部Ｂを有し、
前記Ｌ字形状の支持金具は、直角に連接する板部Ｃ及び板部Ｄを有し、
前記金具集合体の前記バックパネルへの設置時に、前記板部Ｂの下面に前記板部Ｄが前記バックパネル表面に対して垂直方向に滑動可能に着接され、前記板部Ａ・前記板部Ｃは平行に配列されて前記バックパネルの上端辺を厚さ方向から挟持することを特徴とする請求項１記載の金具集合体。
【請求項３】
前記ロールスクリーンを前記バックパネルに仮固定するための前記金具集合体は、
前記支持金具の前記板部Ｄに凹形状のロールスクリーン支持部が吊設され、前記凹形状のロールスクリーン支持部の底部にはブラケットが着接され、前記ブラケットが前記ロールスクリーンの収納フレームを咬持することにより前記ロールスクリーンが前記バックパネルに仮固定されることを特徴とする請求項１又は２記載の金具集合体。
【請求項４】
前記ライトパネルを前記バックパネルに仮固定するための前記金具集合体は、
前記支持金具の前記板部Ｃは下方向に伸びる長尺形状を有し、前記板部Ｃと前記ライトパネルの裏面とを連結することにより前記ライトパネルが前記バックパネルに仮固定されることを特徴とする請求項１又は２記載の金具集合体。
【考案の詳細な説明】
【技術分野】
【０００１】
本考案は、展示用のバックパネルにロールスクリーン又はライトパネルを仮固定するための金具集合体に関する。
【背景技術】
【０００２】
展示会・イベント等においては、展示物の掲示板としてバックパネルが使用される。展示の方法は、紙布質のものは画鋲等によりバックパネルに直接貼り付け、板状の物は、図１のように、Ｓ字フック等をバックパネルの上縁辺に引っ掛けて吊り下げるのが一般的である。
【考案の概要】
【考案が解決しようとする課題】
【０００３】
上述した紙布質の展示物は、通常、展示会場でのバックパネルの配置が決定した後に、会場においてバックパネルに貼り付けるため、事前にレイアウト等の計画を立てることが難しい。また、１枚ずつ画鋲等を使用して貼り付けるのは迂遠なうえ、見栄えもよくない。さらに場所の移動にはバックパネルごと移動する必要があり、展示終了時の後片付けも面倒である。これらの問題を解決する手段としては、市販のロールスクリーンに展示物を貼り付けたうえ、該ロールスクリーンをバックパネルに吊り下げる方法がある。しかしながら、市販のロールスクリーンの設置には専用のブラケットを必要とすることから、バックパネルの前面に仮固定することは困難である。
【０００４】
一方、近年頻繁に使用されるＬＥＤライトパネルは、専用の金具と固定部材によって壁等に固定する必要があり、図１のようなＳ字フックを使用して吊るすことができない。このため、バックパネルのみを使用する会場においては、ライトパネルを展示することが難しいのが現状である。
【０００５】
これらの問題を踏まえ、本考案は、バックパネルを使用する展示会場において、ロールスクリーン又はライトパネルをバックパネルに仮固定することを可能とする金具集合体を提供することを課題とする。
【課題を解決するための手段】
【０００６】
上記課題を解決するために、本考案に係る金具集合体は、ロールスクリーン又はライトパネルを前記バックパネルに仮固定するための金具集合体であって、設置時に前記バックパネルの上端辺に係着するＬ字形状の係止金具と、前記ロールスクリーン又は前記ライトパネルを支持する同じくＬ字形状の支持金具と、前記係止金具に前記支持金具を着接させる固定部材によって構成されることを特徴とする。
【０００７】
前記Ｌ字形状の係止金具は、直角に連接する板部Ａ及び板部Ｂを有し、前記Ｌ字形状の支持金具は、直角に連接する板部Ｃ及び板部Ｄを有し、前記バックパネルへの設置時に、前記板部Ｂの下面に前記板部Ｄが滑動可能に着接され、前記板部Ａ・前記板部Ｃは平行に配列されて前記バックパネルの上端辺を短幅方向から挟持する。
【０００８】
ロールスクリーンを仮固定するための金具集合体とライトパネルを仮固定するための金具集合体は、上述した基本的構成及び係止金具の形状は同じであるが、前記支持金具の形状及び役割が、以下のごとく異なる。
【０００９】
ロールスクリーンを仮固定するための前記金具集合体は、前記支持金具の前記板部Ｄに凹形状のロールスクリーン支持部が吊設され、前記凹形状のロールスクリーン支持部の底部にはブラケットが着接され、前記ブラケットが前記ロールスクリーンの収納フレームを咬持することにより前記ロールスクリーンが前記バックパネルに仮固定される。
【００１０】
一方、ライトパネルを仮固定するための前記金具集合体は、前記支持金具の前記板部Ｃは設置時下方向に伸びる長尺形状を有し、前記板部Ｃと前記ライトパネルの裏面とを専用の固定部材により連結することにより前記ライトパネルが前記バックパネルに仮固定される。
【考案の効果】
【００１１】
本金具集合体の使用により、バックパネルを使用する展示会において、ロールスクリーンを使用した展示を効率よく行うことが可能となる。これにより、事前のレイアウト計画や展示物の設営、移動、後片付けが容易になり、展示物の見栄えもよくなる。
【００１２】
本金具集合体の使用により、バックパネルを使用する展示会において、ライトパネルをバックパネルに仮固定することが可能となる。これにより、バックパネルで仕切られた展示会場において映像を使用することできるようになり、効果的なデモンストレーションが可能となる。
【図面の簡単な説明】
【００１３】
【図１】従来のバックパネルへの展示物吊り下げ方法の一例を示す写真である。
【図２】実施形態１の金具集合体を使用してバックパネルにロールスクリーンを使用した状態を示す写真である。
【図３】実施形態１の金具集合体がロールスクリーンの収納フレームを咬持する状態を示す写真である。
【図４】実施形態１の金具集合体を上方向から見た写真である。
【図５】実施形態１の金具集合体を下方向から見た写真である。
【図６】実施形態１の金具集合体を側面方向から見た写真である。
【図７】実施形態１の金具集合体の正面図であって、（Ａ）は支持金具を閉じた状態、（Ｂ）は開いた状態を示す。
【図８】実施形態１の金具集合体の平面図であって、（Ａ）は支持金具を閉じた状態、（Ｂ）は開いた状態を示す。
【図９】実施形態１の金具集合体の底面図であって、（Ａ）は支持金具を閉じた状態、（Ｂ）は開いた状態を示す。
【図１０】実施形態２の金具集合体を使用してＬＥＤライトパネルをバックパネルに仮固定した状態を示す写真である。
【図１１】実施形態２の金具集合体がＬＥＤライトパネルを吊り下げる状態を示す写真である。
【図１２】実施形態２の金具集合体を上方向正面から見た写真である。
【図１３】実施形態２の金具集合体を下方向背面から見た写真である。
【図１４】実施形態２の金具集合体を下方向側面から見た写真である。
【図１５】実施形態２の金具集合体の支持金具の（Ａ）平面図、（Ｂ）正面図である。
【図１６】実施形態２の金具集合体の（Ａ）全体の側面図、（Ｂ）は支持金具のみの側面図である。
【考案を実施するための形態】
【００１４】
（実施形態１）
実施形態１は請求項３に係る金具集合体であって、ロールスクリーン仮固定用のものである。
【００１５】
本実施形態においては、図２に示すように、バックパネル６の上端辺に一対の金具集合体１を設置してロールスクリーン７を仮固定する。図３は設置部分の拡大写真である。
【００１６】
写真４乃至６に示すように、金具集合体１はＬ字形状の係止金具２と、同じくＬ字形状の支持金具３を重ね合わせた構成となっている。係止金具２は板部Ａ２１及び板部Ｂ２２が直角に連接し、支持金具３は板部Ｃ３１及び板部Ｄ３２が直角に連接しており、設置に際しては板部Ｂ２２の下面に板部Ｄ３３が滑動可能に着接し、平行配列となる板部Ａ２１及び板部Ｂ２２がバックパネル６の上端辺を挟持する。具体的には、図４及び図８に示すように、板部Ｂには一定の長さを有する線状の孔２２１ａ〜２２１ｃが設置され、蝶ボルト４ａ〜４ｃの締緩により、バックパネル６の厚さに応じて板部Ａ２１と板部Ｂ２２の距離を調節できる構成となっている。
【００１７】
また、板部Ｄの下面には凹形状のロールスクリーン支持部３３が吊設され、さらに、ロールスクリーン支持部３３の底部には樹脂製のブラケット３４が着接され、ブラケット３４がロールスクリーン７の収納フレーム７１を咬持することにより、ロールスクリーン７がバックパネル６に仮固定される（写真３参照）。本実施形態の金具集合体１の寸法は図７に示すとおりである。
【００１８】
（実施形態２）
実施形態２は請求項４に係る金具集合体であって、ライトパネル仮固定用のものである。
【００１９】
本実施形態においては、図１０に示すように、バックパネル６の上端辺に設置した一対の金具集合体１を使用してＬＥＤライトパネル８を仮固定する。図１１は設置部分の拡大写真である。
【００２０】
本実施形態の金具集合体１は、実施形態１の金具集合体１と同様に、板部Ａ２１・板部Ｂ２２を有するＬ字形状の係止金具２と、板部Ｃ３１・板部Ｄ３２を有するＬ字形状の支持金具３を重ね合わせた構成となっている（図１４）。また、板部Ａ２１及び板部Ｃ３１が平行に配列され、蝶ボルト４ａ及び４ｂにより両者の距離を調節しつつ、バックパネル６の上端辺を挟持する点についても実施形態１と同様である。しかしながら、本実施形態においては、支持金具３の板部Ｃ３１の形状・長さ及び役割が大きく異なる。
【００２１】
本実施形態の支持金具３は、図１３に示すように、板部Ｃ３１が設置時下方向に伸びる長尺形状を有し、係止金具２の板部Ａ２１と協応してバックパネル６の上端辺を挟持しつつ、一方で、ＬＥＤライトパネル８の裏面を支持する役割を有する。図１１に示すように、ＬＥＤライトパネル８の裏面の４隅近傍が、専用ビスと螺子で構成される専用の固定部材９によって板部Ｃ３１に連結される。
【００２２】
このため、図１２に示すように、板部Ｃ３１の短幅方向中央部には、固定部材９の螺子を通すための穴３１１が縦に複数列設されており、使用する穴の選択によりＬＥＤライトパネル８の上下位置が決定する構成となっている。本実施形態の支持金具３の寸法は図１５に示すとおりである。
【符号の説明】
【００２３】
１        金具集合体
２        係止金具
２１      板部Ａ
２２      板部Ｂ
２２１ａ  固定部材用孔
２２１ｂ  固定部材用孔
２２１ｃ  固定部材用孔
３        支持金具
３１      板部Ｃ
３１１    ライトパネル固定部材用通し穴
３２      板部Ｄ
３２１ａ  固定部材用通し穴
３２１ｂ  固定部材用通し穴
３３      ロールスクリーン支持部
３３１    ブラケット用穴
３３２    ブラケット用穴
３４      ブラケット（樹脂成形品）
４ａ      固定部材（蝶ボルト）
４ｂ      固定部材（蝶ボルト）
４ｃ      固定部材（蝶ボルト）
６        バックパネル
７        ロールスクリーン
７１      収納フレーム
７２      スクリーン
８        ＬＥＤライトパネル
９        固定部材（ＬＥＤライトパネル固定用ビス及び螺子）
【図１】
0003205098.tif 000003
【図２】
0003205098.tif 000004
【図３】
0003205098.tif 000005
【図４】
0003205098.tif 000006
【図５】
0003205098.tif 000007
【図６】
0003205098.tif 000008
【図７】
0003205098.tif 000009
【図８】
0003205098.tif 000010
【図９】
0003205098.tif 000011
【図１０】
0003205098.tif 000012
【図１１】
0003205098.tif 000013
【図１２】
0003205098.tif 000014
【図１３】
0003205098.tif 000015
【図１４】
0003205098.tif 000016
【図１５】
0003205098.tif 000017
【図１６】
0003205098.tif 000018
【手続補正書】
【提出日】平成28年4月27日(2016.4.27)
【手続補正１】
【補正対象書類名】実用新案登録請求の範囲
【補正対象項目名】請求項３
【補正方法】変更
【補正の内容】
【請求項３】
前記ロールスクリーンを前記バックパネルに仮固定するための前記金具集合体は、
前記支持金具の前記板部Ｄに凹形状のロールスクリーン支持部が吊設され、前記凹形状のロールスクリーン支持部の底部にはブラケットが着接され、前記ブラケットが前記ロールスクリーンの収納フレームを咬持することにより前記ロールスクリーンが前記バックパネルに仮固定されることを特徴とする請求項２記載の金具集合体。
【手続補正２】
【補正対象書類名】実用新案登録請求の範囲
【補正対象項目名】請求項４
【補正方法】変更
【補正の内容】
【請求項４】
前記ライトパネルを前記バックパネルに仮固定するための前記金具集合体は、
前記支持金具の前記板部Ｃは下方向に伸びる長尺形状を有し、前記板部Ｃと前記ライトパネルの裏面とを連結することにより前記ライトパネルが前記バックパネルに仮固定されることを特徴とする請求項２記載の金具集合体。